(57)【要約】【課題】装身装飾具として用いられる球体や天然石などをネックレスやストラップ等に繋げる場合、装飾具自体を加工することなく、装飾具にあわせた紐、ワイヤー等を網状加工した保持具が不要で、従来技術より装飾具を露出させることができ、且つ装飾具を傷めることなく大きさに関する汎用性を高めた保持具を提供する。【解決手段】図１に示す球体保持具は、伸縮性を持つ部材で形成され、結合点（１）から結合点（２）間に放射状に周方向に配する押さえバンド（３）を設ける。押さえバンド（３）の内側に装飾具を保持することができる球体保持具。【選択図】図１
2015077378.tif 000002
【特許請求の範囲】
【請求項１】
球体またはそれに近い形状の物体を内側に保持できる保持具であって、伸縮性のある部材で形成され、保持対象物の周縁部を押さえバンド（３）にて、バランスよく押さえることができる球体保持具。
【請求項２】
球体またはそれに近い形状の装飾具、アクセサリー、天然石を保持する保持具であって、伸縮性のあるゴム等の樹脂材料で形成され、内部に装飾具を圧入することによって、装飾具の周縁部を押さえバンド（３）にてバランスよく押さえることができる球体保持具。
【請求項３】
請求項１または２に順ずる球体保持具であって、図２に示す押さえバンド（３）の厚み（ａ）を少なくとも２．５ｍｍ以上とし、かつ羽上の形状にし、保持対象物の外的面接触を防ぎ衝撃から守る機能を備えた球体保持具
【請求項４】
請求項１または２に順ずる球体保持具であって、図５に示す押さえバンド（３）の本数を少なくとも３本以上とし、かつ前記記載の太さ（ｂ）をかえることで、球体保持具に保持した装飾具に対する把持力を調節することができる球体保持具。
【請求項５】
請求項１または２に順ずる球体保持具であって、図６に示す押さえバンド（３）の形状を全長に亘って同一の幅とするか、或いは長さ方向の中央部付近における被保持体との接触面積を両端部よりも大きくなる形状を備えた球体保持具。
【発明の詳細な説明】
【技術分野】
【０００１】  この発明は、球体またはそれに近い形状の物体を容易に保持できる保持具であるって、主にペンダントやネックレスなどの宝飾品等の球体保持具に関するものである。
【背景技術】
【０００２】  従来、装身装飾具として用いられる球体アクセサリーや天然石などで、もともと通し穴を持たない類のものを紐やチェーンで繋げる場合、装飾具自体に加工し、貫通穴を開けたり、丸カン等の金具を機械的に取り付けるまたは接着するなどし、紐等を通す方法が一般的になされている。装飾具自体に加工しない方法としては、特許文献１のように網状に加工した紐または針金等に装飾具を保持させる方法や、特許文献２のように板状の保持具に取り付ける方法、また、特許文献３のように金属製の篭状の保持具に装飾具を入れ保持させる等の外面を覆う様に保持具を使用し、ネックレスやストラップに連結できる様に多様な工夫がなされてきた。
【先行技術文献】
【特許文献】
【０００３】
【特許文献１】特開２００５−１２４６８７号公報
【特許文献２】特開２００５−１９２９４３号公報
【特許文献３】登録実用新案第３１０６６４６号公報
【発明の概要】
【発明が解決しようとする課題】
【０００４】  装飾具自体に加工する場合、加工する手間、技術を必要とし、容易ではない。網状の保持具は、網の形状を、保持する装飾具にあわせ作成しなければならず、また編みこみの技術も必要であり、容易ではない。板状の保持具、袋状の保持具は装飾具の一面しか表面に露出させることができず、保持する装飾具自体の外観を損なう懸念がある。金属製の篭状の保持具のような方法では、装飾具が篭内で動き、装飾具を傷める不具合が生じる。また装飾具の大きさは多種多様であり、汎用性に対する考慮が欠如している等の多くの課題があった。
【課題を解決するための手段】
【０００５】    そこで、本発明は装飾具自体を加工することなく、装飾具にあわせた紐、ワイヤーの網状加工が不要で、従来技術より装飾具をより多く露出させることができ、且つ装飾具を傷めることなく、大きさに関する汎用性を高めた球体保持具を提供する。具体的には、球体またはそれに近い形状の物体を内側に保持できる保持具であって、伸縮性のある部材で形成され、保持対象物の周縁部を押さえバンド（３）にてバランスよく抑えることが出来る球体保持具である。【０００６】  また、球体またはそれに近い形状の装飾具としては、アクセサリー、天然石を保持する保持具であって、伸縮性を持つゴム等の樹脂材料で形成され、内部に装飾具を圧入することによって、装飾具の周縁部を抑えバンド（３）にてバランスよく抑えることが出来る球体保持具である。【０００７】  また、前記記載の球体保持具であって、図２に示す押さえバンド（３）の厚み（ａ）を少なくとも２．５ｍｍ以上とし、かつ羽状の形状にし、保持対象物の外的面接触を防ぎ、衝撃から守る機能を備えた球体保持具である。【０００８】  また、前記記載の球体保持具であって、図５に示す押さえバンド（３）の本数を少なくとも３本以上とし、かつ前記記載の太さ（ｂ）を変えることで、球体保持具に保持した装飾具に対する把持力を調節することが出来る球体保持具である。【０００９】  さらに、前記記載の球体保持具であって、図６に示す押さえバンド（３）の形状を全長に亘って同一の幅とするか、或いは長さ方向の中央付近における被保持体との接触面積を両端部よりも大きくなる形状を備えた球体保持具である。
【発明の効果】
【００１０】  球体保持具は伸縮性のあるゴム等の樹脂材料で構成されており、図３の球体保持状態および、図４の図３Ｂ−Ｂの断面図のように、装飾具を圧入することで伸縮性のある部材の把持力で容易に保持することがでる。球体保持具で保持した装飾具は、押さえバンド（３）から押し出すことで外すことができ、別の装飾具に容易に交換することが可能である。球体保持具に設けた通し穴（４）に紐やチェーン等を繋げる事で、ネックレスやストラップに容易に加工することができる。装飾具の露出面を従来技術より多く取ることができる。さらに、押さえバンド（３）の形状を全長に亘って同一の幅とするか、或いは長さ方向の中央付近における被保持体との接触面積を両端部よりも大きくなる形状とすることで、多様な外面の柔軟性を持ち、装飾品としての美観を向上させることが出来る。【００１１】  図２は、図１Ａ−Ａの断面図であるが、図２に示す球体保持具の押さえバンド（３）の厚み（ａ）を大きくし、羽状にすることで、保持した装飾具を外的面接触の衝撃から守ることができる。【００１２】  図５は図２断面図と同じ方向の断面図であるが、押さえバンド（３）の本数を増やしたり、太さ（ｂ）をかえることで、球体保持具の保持力を調節することができる。図６は球体保持具の押さえバンド外観例であるが、押さえバンド（３）の形状を変化させることで、多様な外観の柔軟性を持ち、装飾品としての美観を向上させることができる。
【図面の簡単な説明】
【００１３】
【図１】外観図
【図２】断面図−１
【図３】外観図−球体保持状態
【図４】断面図−２
【図５】断面図−３
【図６】外観例
【発明を実施するための形態】
【００１４】  以下、本発明を実施するための形態について説明する。図１の球体保持具は、伸縮性を持つゴム等の樹脂材料で形成され、結合点（１）から結合点（２）間に放射状に周方向に配する押さえバンド（３）を設ける。保持方法は、球体保持具の伸縮性を利用し、各バンド（３）の間から人力にて装飾具を圧入させる。圧入後はバンド同士が収縮し締め付ける力を利用し、装飾具を保持する。装飾具の球体保持具からの取り外しは、各押さえバンド（３）の間から人力にて装飾具を押し出し、取り外す。また球体保持具は通し穴（４）を設け、他の部材に接続できる機能を有する。
【符号の説明】
【００１５】１．  結合点１
２．  結合点２
３．  押さえバンド
４．  通し穴
５．  保持対象球体
ａ．  押さえバンド厚み
ｂ．  押さえバンド太さ
【図１】
2015077378.tif 000003
【図２】
2015077378.tif 000004
【図３】
2015077378.tif 000005
【図４】
2015077378.tif 000006
【図５】
2015077378.tif 000007
【図６】
2015077378.tif 000008